【手続補正書】
【提出日】平成17年12月27日(2005.12.27)
【手続補正１】
【補正対象書類名】明細書
【補正対象項目名】発明の名称
【補正方法】変更
【補正の内容】
【発明の名称】カラー画像形成装置、カラー画像形成装置の制御方法
【手続補正２】
【補正対象書類名】明細書
【補正対象項目名】特許請求の範囲
【補正方法】変更
【補正の内容】
【特許請求の範囲】
【請求項１】  画像データを入力する画像入力手段と、
記録色成分毎に設けられ、前記画像入力手段で入力された画像データに基づいて像形成する像形成手段と、
前記画像入力手段で入力された画像データを解析して、フルカラー記録モード或いは白黒記録モードを決定する自動カラー判別機能を使用するか否かを設定する記録モード設定手段と、
前記自動カラー判別機能を使用することが選択された場合、前記入力部で入力された画像がカラー画像が白黒画像かを判別する判別手段と、
前記判別手段による判別結果が得られる前に、前記像形成手段をフルカラー記録モードで準備動作させる第１の制御手段と、
前記判別手段により入力画像が白黒画像であると判別された場合、フルカラー記録モードから白黒記録モードへ移行させて像形成を実行させ、入力画像がカラー画像であると判別された場合は、フルカラー記録モードで像形成を実行させる第２の制御手段と、
を有することを特徴とするカラー画像形成装置。
【請求項２】  前記第２の制御手段は、入力画像が白黒画像であると判別された場合、黒以外の記録色成分の像形成部の動作を停止させることにより白黒記録モードに移行させることを特徴とする請求項１記載のカラー画像形成装置。
【請求項３】  画像データを入力する画像入力手段と、
記録色成分毎に設けられ、前記画像入力手段で入力された画像データに基づいて像形成する像形成手段と、
前記画像入力手段で入力された画像データを解析して、フルカラー記録モード或いは白黒記録モードを決定する自動カラー判別機能を使用するか否かを設定する記録モード設定手段と、
前記自動カラー判別機能を使用することが選択された場合、前記入力部で入力された画像がカラー画像か白黒画像かを判別する判別手段と、
前記判別手段による判別結果が得られる前に、前記像形成手段を白黒記録モードで準備動作させる第１の制御手段と、
前記判別手段により入力画像が白黒画像であると判別された場合、白黒記録モードで像形成を実行させ、入力画像がカラー画像であると判別された場合は、白黒記録モードからフルカラー記録モードへ移行させてフルカラー記録モードで像形成を実行させる第２の制御手段と、
を有することを特徴とするカラー画像形成装置。
【請求項４】  前記第２の制御手段は、入力画像がカラー画像であると判別された場合、黒の像形成部の動作を停止させ、その後記録色成分毎の像形成部を順次動作させることを特徴とする請求項３記載のカラー画像形成装置。
【請求項５】  前記第２の制御手段は、入力画像がカラー画像であると判別された場合、黒の像形成部の動作を維持したまま、その後黒以外の記録色成分毎の像形成部を動作させることを特徴とする請求項３記載のカラー画像形成装置。
【請求項６】  画像データを入力する画像入力ステップと、
記録色成分毎に設けられた像形成部で、前記画像入力ステップで入力された画像データに基づいて像形成する像形成ステップと、
前記画像入力ステップで入力された画像データを解析して、フルカラー記録モード或いは白黒記録モードを決定する自動カラー判別機能を使用するか否かを設定する記録モード設定ステップと、
前記自動カラー判別機能を使用することが選択された場合、前記画像入力ステップで入力された画像がカラー画像か白黒画像かを判別する判別ステップと、
前記判別ステップによる判別結果が得られる前に、前記像形成部をフルカラー記録モードで準備動作させる第１の制御ステップと、
前記判別ステップで入力画像が白黒画像であると判別された場合、フルカラー記録モードから白黒記録モードへ移行させて像形成を実行させ、入力画像がカラー画像であると判別された場合は、フルカラー記録モードで像形成を実行させる第２の制御ステップと、
を有することを特徴とするカラー画像形成装置の制御方法。
【請求項７】  前記第２の制御ステップでは、入力画像が白黒画像であると判別された場合、黒以外の記録色成分の像形成部の動作を停止させることにより白黒記録モードに移行させることを特徴とする請求項６記載のカラー画像形成装置の制御方法。
【請求項８】  画像データを入力する画像入力ステップと、
記録色成分毎に設けられた像形成部により、前記画像入力ステップで入力された画像データに基づいて像形成する像形成ステップと、
前記画像入力ステップで入力された画像データを解析してフルカラー記録モード或いは白黒記録モードを決定する自動カラー判別機能を使用するか否かを設定する記録モード設定ステップと、
前記自動カラー判別機能を使用することが選択された場合、前記画像入力ステップで入力された画像がカラー画像か白黒画像かを判別する判別ステップと、
前記判別ステップで判別結果が得られる前に、前記像形成部を白黒記録モードで準備動作させる第１の制御ステップと、
前記判別ステップで入力画像が白黒画像であると判別された場合、白黒記録モードで像形成を実行させ、入力画像がカラー画像であると判別された場合は、白黒記録モードからフルカラー記録モードへ移行させてフルカラー記録モードで像形成を実行させる第２の制御ステップと、
を有することを特徴とするカラー画像形成装置の制御方法。
【請求項９】  前記第２の制御ステップでは、入力画像がカラー画像であると判別された場合、黒の像形成部の動作を停止させ、その後記録色成分毎の像形成部を順次動作させることを特徴とする請求項８記載のカラー画像形成装置の制御方法。
【請求項１０】  前記第２の制御ステップでは、入力画像がカラー画像であると判別された場合、黒の像形成部の動作を維持したまま、その後黒以外の記録色成分毎の像形成部を動作させることを特徴とする請求項８記載のカラー画像形成装置の制御方法。
【請求項１１】  画像データの入力を制御するスキャナ制御部と、
前記スキャナ制御部からの画像データに対してプリントのための画像処理を施す画像制御部と、
前記画像制御部で処理された画像データに基づく像形成動作を制御するプリンタ制御部とを有し、
前記画像制御部は、入力された画像データを解析してフルカラー記録モード或いは白黒記録モードを決定する自動カラー判別機能を使用することが設定されているか否かを判定し、その判定結果を前記プリンタ制御部へ通知する記録モード設定部と、前記自動カラー判別機能を使用することが選択された場合、前記入力された画像がカラー画像か白黒画像かを判別し、判別結果を前記プリンタ制御部へ通知する判別部とを有し、
前記プリント制御部は、前記判別部による判別結果が得られる前に、白黒記録モードで像形成の準備動作を実行する第１制御部と、前記判別部により入力画像が白黒画像であると判別された場合、白黒記録モードで像形成を実行し、入力画像がカラー画像であると判別された場合は、白黒記録モードからフルカラー記録モードへ移行させた後、フルカラー記録モードで像形成を実行する第２制御部とを有することを特徴とするカラー画像形成装置。
【請求項１２】  画像データの入力を制御するスキャナ制御部と、
前記スキャナ制御部からの画像データに対してプリントのための画像処理を施す画像制御部と、
前記画像制御部で処理された画像データに基づく像形成動作を制御するプリンタ制御部とを有し、
前記画像制御部は、入力された画像データを解析してフルカラー記録モード或いは白黒記録モードを決定する自動カラー判別機能を使用することが設定されているか否かを判定し、判定結果を前記プリンタ制御部へ通知する記録モード設定部と、前記自動カラー判別機能を使用することが選択された場合、前記入力された画像がカラー画像か白黒画像かを判別し、判別結果を前記プリンタ制御部へ通知する判別部とを有し、
前記プリント制御部は、前記判別部による判別結果が得られる前に、フルカラー記録モードで像形成の準備動作を実行する第１制御部と、前記判別部により入力画像がカラー画像であると判別された場合、フルカラー記録モードで像形成を実行し、入力画像が白黒画像であると判別された場合は、フルカラー記録モードから白黒記録モードへ移行させた後、白黒記録モードで像形成を実行する第２制御部とを有することを特徴とするカラー画像形成装置。
【請求項１３】  画像データの入力を制御するスキャナ制御部と、前記スキャナ制御部からの画像データに対してプリントのための画像処理を施す画像制御部と、前記画像制御部で処理された画像データに基づく像形成動作を制御するプリンタ制御部とを有するカラー画像形成装置の制御方法であって、
前記画像制御部は、入力された画像データを解析してフルカラー記録モード或いは白黒記録モードを決定する自動カラー判別機能を使用することが設定されているか否かを判定し、その判定結果を前記プリンタ制御部へ通知する記録モード設定ステップと、前記自動カラー判別機能を使用することが選択された場合、前記入力された画像がカラー画像か白黒画像かを判別し、判別結果を前記プリンタ制御部へ通知する判別ステップとを実行し、
前記プリント制御部は、前記判別ステップでの判別結果が得られる前に、白黒記録モードで像形成の準備動作を実行する第１制御ステップと、前記判別ステップで入力画像が白黒画像であると判別された場合、白黒記録モードで像形成を実行し、入力画像がカラー画像であると判別された場合は、白黒記録モードからフルカラー記録モードへ移行させた後、フルカラー記録モードで像形成を実行する第２制御ステップとを実行することを特徴とするカラー画像形成装置の制御方法。
【請求項１４】  画像データの入力を制御するスキャナ制御部と、前記スキャナ制御部からの画像データに対してプリントのための画像処理を施す画像制御部と、前記画像制御部で処理された画像データに基づく像形成動作を制御するプリンタ制御部とを有するカラー画像形成装置の制御方法であって、
前記画像制御部は、入力された画像データを解析してフルカラー記録モード或いは白黒記録モードを決定する自動カラー判別機能を使用することが設定されているか否かを判定し、その判定結果を前記プリンタ制御部へ通知する記録モード設定ステップと、前記自動カラー判別機能を使用することが選択された場合、前記入力された画像がカラー画像か白黒画像かを判別し、判別結果を前記プリンタ制御部へ通知する判別ステップとを実行し、
前記プリント制御部は、前記判別ステップでの判別結果が得られる前に、フルカラー記録モードで像形成の準備動作を実行する第１制御ステップと、
前記判別ステップで入力画像がカラー画像であると判別された場合、フルカラー記録モードで像形成を実行し、入力画像が白黒画像であると判別された場合は、フルカラー記録モードから白黒記録モードへ移行させた後、白黒記録モードで像形成を実行する第２制御ステップとを実行することを特徴とするカラー画像形成装置の制御方法。
【手続補正３】
【補正対象書類名】明細書
【補正対象項目名】００２５
【補正方法】変更
【補正の内容】
【００２５】
本発明は、上記の問題点を解決するためになされたもので、本発明の目的は、スキャナ部で入力された画像データを解析してフルカラー記録モード或いは白黒記録モードを決定する自動カラー判別機能を使用することが選択された場合、プリンタ部は、スキャナ部で入力された画像がカラー画像が白黒画像かを判別する判別結果が得られる前に、記録色成分毎に設けられた像形成部をフルカラー記録モードで準備動作させ、そして、入力画像が白黒画像であると判別された場合、フルカラー記録モードから白黒記録モードへ移行させて像形成を実行させ、入力画像がカラー画像であると判別された場合は、フルカラー記録モードで像形成を実行させることにより、自動判別機能を用いた場合でも、最初のプリント動作が完了するまでの時間を短縮することができ、また自動判別機能を用いた場合とそうでない場合との最初のプリント動作が完了するまでの時間差を削減することができ、さらに、色モードの切り換え動作に伴う装置の寿命とプリントに要する時間の増加を適切なバランスで両立させ、使い勝手を向上させることができ、また自動色判別機能を使用した場合に、白黒画像ページとカラー画像ページの混在したプリント処理を効率的に行うことができる仕組みを提供することである。
【手続補正４】
【補正対象書類名】明細書
【補正対象項目名】００４０
【補正方法】削除
【補正の内容】
【手続補正５】
【補正対象書類名】明細書
【補正対象項目名】００４１
【補正方法】削除
【補正の内容】